(57)【要約】      （修正有）【課題】粒径がナノメートルオーダーの気泡を効率的に発生させることを可能とする微細気泡発生器を提供する。【解決手段】気液旋回室３と、前記旋回室に接続され、前記旋回室の内側面の接線方向に沿って流体を導入する流体導入口４と、流体を導入する方向と略垂直方向に流体を導く気液吐出筒９とを有し、前記吐出筒は、前記旋回室の第２壁面７を貫通し、前記旋回室の内部まで突き出ている、気液旋回室内の気液混合流体に旋回力を加え、剪断力により気泡を微細化する微細気泡発生器１。【選択図】図１Ａ
2011088079.tif 000002
【特許請求の範囲】
【請求項１】
旋回室と、
前記旋回室に接続され、前記旋回室の内側面の接線方向に沿って流体を導入する流体導入口と、
流体を導入する方向と略垂直方向に流体を導く吐出筒と
を有し、
前記吐出筒は、前記旋回室の壁面を貫通し、前記旋回室の内部まで突き出ている微細気泡発生器。
【請求項２】
前記吐出筒の旋回室内での中心軸は、流体を導入する方向と略垂直方向になるように設けられている請求項1記載の微細気泡発生器。
【請求項３】
旋回室と、
前記旋回室に接続され、前記旋回室の内側面の接線方向に沿って流体を導入する流体導入口と、
流体を導入する方向と略垂直方向に流体を導く吐出筒と
を有し、
前記流体導入口から導入された流体は、前記吐出筒の周りを周回した後に、前記吐出筒の一端から他端へと流れ、吐出される請求項1記載の微細気泡発生器。
【請求項４】
前記吐出筒の一端は、前記吐出筒が貫通する壁面に対向する前記旋回室の壁面の近くに位置する請求項3記載の微細気泡発生器。
【請求項５】
請求項4記載の微細気泡発生器と、
前記微細気泡発生器を内包し、微細気泡含有流体を貯留する流体貯留槽と
を有する微細気泡発生装置。
【請求項６】
流体の旋回可能な空間を有する旋回室と、
前記旋回室の内側面の接線方向に沿って流体を導入する流体導入口と、
吐出筒と
を有し、
前記旋回室は、前記旋回室の流体導入口が配設された面と略直交する第１壁面と、前記第１壁面と対向する第２壁面とを備え、
前記吐出筒は、前記第２壁面を貫通し、前記旋回室の内部まで突き出ている微細気泡発生器。
【請求項７】
流体の旋回可能な空間を有する旋回室と、
前記旋回室の内側面の接線方向に沿って流体を導入する流体導入口と、
吐出筒と
を有し、
前記旋回室には、前記旋回室の流体導入口が配設された面と直交する第１壁面と、前記第１壁面と対向する第２壁面とが設けられており、
前記吐出筒は、前記旋回室の略中心軸線に位置し、前記第２壁面を貫通し、前記第１壁面に近い位置にまで至ることを特徴とする微細気泡発生器。
【請求項８】
気液混合流体の旋回可能な空間を有する円筒形の気液旋回室と、前記気液旋回室を備えた円筒形のケーシングと、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器から吐出される微細気泡含有流体の旋回流により形成される負圧軸に位置する気液噴出口を備える気液噴出器と、
前記微細気泡発生装置を内包し、前記気液噴出口から噴出された微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有する微細気泡発生装置。
【発明の詳細な説明】
【技術分野】
【０００１】
本発明は、微細気泡発生器及び微細気泡発生装置に関する。
【背景技術】
【０００２】
近年、マイクロバブル（微細気泡）を含んだ気液混合流体は、水中に様々なガスを微細気泡とし、水中に供給できる技術として、閉鎖性水域の貧酸素水塊の解消、排水処理における微生物の活性化手段、水耕栽培等における植物の成長促進、物質表面の汚れ物質の除去、様々な産業において用いられている。
【０００３】
例えば、特開2003-182158では、気液旋回室内に液体導入口から導入された液体を整流するために予備旋回部を設け、液体導入口が配設された面と直交する気体導入口が設けられた壁面に対し、旋回流を生じさせるとされている。また、旋回流を生じながら、気体導入口が設けられた壁面で反転し、気体を旋回流の負圧を利用して引き込み、吐出口が設けられた反対の壁面に向かって、吐出口へ吐出されるとされている。
【０００４】
特開2008-272719では、気液旋回室内に導入された気液混合流体を軸線方向に広がらないように複数の環状溝を有し、気液混合流体導入口が配設された面と直交する気液混合流体導入口が設けられていない壁面に対し、気液混合流体の旋回流を生じさせるとされている。また、その壁面で反転し、吐出口が設けられている反対の壁面に向かって、旋回速度を高め、吐出口へ吐出されるとされている。
【先行技術文献】
【特許文献】
【０００５】
【特許文献１】特開2003-182158
【特許文献２】特開2008-272719
【発明の概要】
【発明が解決しようとする課題】
【０００６】
上述の旋回式微細気泡発生装置は、いずれも気泡を微細化するものではあるが、粒径がナノメートルオーダーの気泡を効率的に発生させるものは見られなかった。
【０００７】
本発明は、上述の背景技術に鑑みてなされたものであり、粒径がナノメートルオーダーの気泡を効率的に発生させることを可能とする微細気泡発生器などを提供することを目的としている。
【課題を解決するための手段】
【０００８】
この発明によれば、上述の目的を達成するために、特許請求の範囲に記載のとおりの構成を採用している。以下、この発明を詳細に説明する。
【０００９】
本発明の第１の側面は、
旋回室と、
前記旋回室に接続され、前記旋回室の内側面の接線方向に沿って流体を導入する流体導入口と、
流体を導入する方向と略垂直方向に流体を導く吐出筒と
を有し、
前記吐出筒は、前記旋回室の壁面を貫通し、前記旋回室の内部まで突き出ている微細気泡発生器
にある。
【００１０】
本構成によれば、導入された流体の経路を隔離することによって、流体の旋回流の運動エネルギーの損失を低減することが可能になるため、発生する微細気泡を小さくすることができる微細気泡発生器が得られる。
【００１１】
本発明の第2の側面は、
前記吐出筒の旋回室内での中心軸は、流体を導入する方向と略垂直方向になるように設けられている請求項1記載の微細気泡発生器
にある。
【００１２】
本構成によれば、導入された流体の経路を隔離することによって、流体の旋回流の運動エネルギーの損失を低減することが可能になるため、発生する微細気泡を小さくすることができる微細気泡発生器が得られる。
【００１３】
本発明の第3の側面は、
旋回室と、
前記旋回室に接続され、前記旋回室の内側面の接線方向に沿って流体を導入する流体導入口と、
流体を導入する方向と略垂直方向に流体を導く吐出筒と
を有し、
前記流体導入口から導入された流体は、前記吐出筒の周りを周回した後に、前記吐出筒の一端から他端へと流れ、吐出される請求項1記載の微細気泡発生器
にある。
【００１４】
本構成によれば、導入された流体の経路を隔離することによって、流体の旋回流の運動エネルギーの損失を低減することが可能になるため、発生する微細気泡を小さくすることができる微細気泡発生器が得られる。
【００１５】
本発明の第4の側面は、
前記吐出筒の一端は、前記吐出筒が貫通する壁面に対向する前記旋回室の壁面の近くに位置する請求項3記載の微細気泡発生器
にある。
【００１６】
本構成によれば、導入された流体の経路を隔離することによって、流体の旋回流の運動エネルギーの損失を低減することが可能になるため、発生する微細気泡を小さくすることができる微細気泡発生器が得られる。
【００１７】
本発明の第5の側面は、
請求項4記載の微細気泡発生器と、
前記微細気泡発生器を内包し、微細気泡含有流体を貯留する流体貯留槽と
を有する微細気泡発生装置
にある。
【００１８】
本発明の第6の側面は、
流体の旋回可能な空間を有する旋回室と、
前記旋回室の内側面の接線方向に沿って流体を導入する流体導入口と、
吐出筒と
を有し、
前記旋回室は、前記旋回室の流体導入口が配設された面と略直交する第１壁面と、前記第１壁面と対向する第２壁面とを備え、
前記吐出筒は、前記第２壁面を貫通し、前記旋回室の内部まで突き出ている微細気泡発生器にある。
【００１９】
本構成によれば、導入された流体の経路を隔離することによって、流体の旋回流の運動エネルギーの損失を低減することが可能になるため、発生する微細気泡を小さくすることができる微細気泡発生器が得られる。
【００２０】
本発明の第7の側面は、
流体の旋回可能な空間を有する旋回室と、
前記旋回室の内側面の接線方向に沿って流体を導入する流体導入口と、
吐出筒と
を有し、
前記旋回室には、前記旋回室の流体導入口が配設された面と直交する第１壁面と、前記第１壁面と対向する第２壁面とが設けられており、
前記吐出筒は、前記旋回室の略中心軸線に位置し、前記第２壁面を貫通し、前記第１壁面に近い位置にまで至ることを特徴とする微細気泡発生器
にある。
【００２１】
本構成によれば、導入された流体の経路を隔離することによって、流体の旋回流の運動エネルギーの損失を低減することが可能になるため、発生する微細気泡を小さくすることができる微細気泡発生器が得られる。
【００２２】
本発明の第8の側面は、
気液混合流体の旋回可能な空間を有する円筒形の気液旋回室と、前記気液旋回室を備えた円筒形のケーシングと、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器から吐出される微細気泡含有流体の旋回流により形成される負圧軸に位置する気液噴出口を備える気液噴出器と、
前記微細気泡発生装置を内包し、前記気液噴出口から噴出された微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有する微細気泡発生装置
にある。
【発明の効果】
【００２３】
本発明によれば、発生する微細気泡を小さくすることができる微細気泡発生器などが得られる。
本発明のさらに他の目的、特徴又は利点は、後述する本発明の実施の形態や添付する図面に基づく詳細な説明によって明らかになるであろう。
【図面の簡単な説明】
【００２４】
【図１Ａ】微細気泡発生器の構成を示す説明図である。
【図１Ｂ】微細気泡発生器の構成を示す説明図である。
【図１Ｃ】微細気泡発生器の構成を示す説明図である。
【図２】旋回式微細気泡発生装置の構成を示す説明図である。
【図３】微細気泡発生装置において発生した微細気泡の粒度分布を示す図である。
【発明を実施するための形態】
【００２５】
[概要]
【００２６】
これまでの旋回式微細気泡発生装置は、いずれも気泡を微細化するものではあるが、発生に多くのエネルギーを必要としており、粒径がナノメートルオーダーの気泡を効率的に発生させるものは見られず、より省エネルギーで効率的に粒径がナノメートルの気泡を発生させることを可能とする微細気泡発生器及びそれを備えた微細気泡発生装置を提供することを目的としている。
【００２７】
例えば、本実施形態の一つの微細気泡発生器１は、円筒形気液旋回室３の中心軸線に位置する第２壁面７を貫通し、第１壁面６に近い位置にまで至る気液吐出口８を備えた気液吐出円筒９を設けることにより、気液吐出円筒９と円筒形のケーシング２の間を円筒形のケーシング２の内側面に沿うように流体導入口４から導入された気液混合流体１０が外郭旋回流１１を生じながら第１壁面６で反転し、その後、気液混合流体１０は気液吐出口８を備えた気液吐出円筒９の内部に内郭旋回流１２を生じながら通過し、円筒形気液旋回室３から吐出される。これにより、相反するベクトルの流れが隣接することを防ぐことが可能となり、外郭旋回流１１および内郭旋回流１２、双方の流速の低下を防ぐことができ、より整流された外郭旋回流１１および内郭旋回流１２を発生させることができる。したがって、流体導入口４から導入する気液混合流体１０に対し、これまでの旋回式微細気泡発生装置よりも低圧で、効率よく気液旋回室３内の気液混合流体１０に旋回力を加えることができるため、気液混合流体１０に含まれる気体により大きな剪断力を生じ、気泡の微細化が促進される。
【００２８】
なお、流体には、液体に気体が混合したもの、液体中に気体が溶け込んだものなどが含まれる。液体の例としては、水、溶媒、ガソリンなどを挙げることができる。気体の例としては、窒素、酸素、二酸化炭素、オゾン、エチレン、水素などを挙げることができる。ここでは、主として、気液混合流体を微細気泡発生器に導入する場合について説明する。
【００２９】
以下、本発明の実施の形態について図面を参照しながら詳細に説明する。
[微細気泡発生器]
【００３０】
図１は、本実施形態の微細気泡発生器の構成を示し、Ａはその縦断図、Ｂは、図に示すところのA-A’断面を示す。
【００３１】
図において、微細気泡発生器１は、円筒形のケーシング２と、気液混合流体１０の旋回可能な空間を有する円筒形気液旋回室３と、気液旋回室３の内側面の接線方向に沿って気液混合流体１０を導入する流体導入口４と、流体導入口４を備えた気液導入円筒５と、気液旋回室３の流体導入口４が配設された面と直交する第１壁面６と、その壁面と対向する流体導入口４の近くに位置する第２壁面７と、円筒形気液旋回室３の中心軸線に位置し、第２壁面７を貫通し、第１壁面６に近い位置にまで至る気液吐出口８と、気液吐出口８を備えた気液吐出円筒９と、により構成されている。
【００３２】
図に示すように、気液吐出円筒９は、円筒形のケーシング２の気液旋回室３内部に円筒形気液旋回室３の中心軸線に位置し、第２壁面７を貫通し、第１壁面６に近い位置にまで至り、この二つの円筒により微細気泡発生器１は二重円筒構造を形成している。気液吐出円筒９に備えられた気液吐出口８は第1壁面６に近い位置に設けられている。
【００３３】
上記構成の微細気泡発生器１の流体導入口４から導入した気液混合流体１０は、円筒形気液旋回室３の中心軸線に位置する気液吐出円筒９と円筒形のケーシング２の間を円筒形のケーシングの内側面に沿うように流れることにより、円筒形気液旋回室３内に整流された外郭旋回流１１を発生させることができる。
【００３４】
外郭旋回流１１は円筒形気液旋回室３の第１壁面６に向かって進み、第１壁面６で反転して、円筒形のケーシング２よりも小さな径の気液吐出円筒９の内部で旋回速度を高められて、内郭旋回流１２を形成する。この内郭旋回流１２は高速旋回流を形成しており、遠心力により、その中心付近に負圧空洞部１３が形成される。
【００３５】
上述のように、微細気泡発生器１は円筒形気液旋回室３の中心軸線に位置する第２壁面７を貫通し、第１壁面６に近い位置にまで至る気液吐出口８を備えた気液吐出円筒９を設けることにより、気液吐出円筒９と円筒形のケーシング２の間を円筒形のケーシング２の内側面に沿うように流体導入口４から導入された気液混合流体１０が外郭旋回流１１を生じながら第１壁面６で反転し、その後、気液混合流体１０は気液吐出口８を備えた気液吐出円筒９の内部に内郭旋回流１２を生じながら通過し、円筒形気液旋回室３から吐出される。これにより、相反するベクトルの流れが隣接することを防ぐことが可能となり、外郭旋回流１１および内郭旋回流１２、双方の流速の低下を防ぐことができ、より整流された外郭旋回流１１および内郭旋回流１２を発生させることができる。したがって、流体導入口４から導入する気液混合流体１０に対し、これまでの旋回式微細気泡発生装置よりも低圧で、効率よく気液旋回室３内の気液混合流体１０に旋回力を加えることができるため、気液混合流体１０に含まれる気体により大きな剪断力を生じ、気泡の微細化が促進される。
【００３６】
[微細気泡発生装置]
【００３７】
図２は、図１に示す微細気泡発生器１を備えた微細気泡発生装置２１の構成を示す説明図である。
【００３８】
図において、微細気泡発生器１を備えた微細気泡発生装置２１は、微細気泡発生器１と、微細気泡発生器１に気液混合流体１０を供給するポンプ２２と、ポンプ２２の吸込口２３に接続された吸込配管２４と、ポンプの吐出口２５に接続され微細気泡発生器１の流体導入口４に接続された吐出配管２６と、微細気泡発生器１の気液吐出口８より微細気泡含有流体２７を供給する。
【００３９】
気液噴出器３１は、気液導入口３２に接続された吐出配管３３と、微細気泡発生器１から吐出される微細気泡含有流体２７の旋回流３４により形成される負圧軸３５に位置する気液噴出口３６を有し、微細気泡発生器１から供給された微細気泡含有流体２７を効率的に気液混合流体貯留槽に拡散させることができる。
【００４０】
微細気泡発生装置２１を内包し、気液噴出口３６から噴出された微細気泡含有流体２７を貯留する気液混合流体貯留槽４２を備えた円筒形のケーシング４３と、気液混合流体貯留槽４２の上部に位置する半球体状の第４壁面４４と、気液混合流体貯留槽４２の中心軸線の上部に位置し、第３壁面４４を貫通する貯留槽吐出口４５と、気液混合流体貯留槽４２の下部に位置する半球体状の第４壁面４６と、気液混合流体貯留槽４２の中心軸線の下部に位置し、第４壁面を貫通する排水口４７とを設けることにより、貯留槽吐出口４５から微細気泡含有流体２７を得ることができる。なお、貯留槽吐出口４５に接続された貯留槽吐出管、排水口４７に接続された排水管がもうけられていてもよい。
【００４１】
また、これまでの旋回式微細気泡発生装置は微細気泡を発生させるために、発生器を直接水中に浸漬しておく必要があったが、本実施形態の微細気泡発生装置１は微細気泡含有流体貯留槽４２を設けることにより、貯留槽吐出管４６の放出口４７を水中に浸漬しなくとも、微細気泡含有流体２７を得ることができる。
【００４２】
ポンプの吸込口に接続された吸込配管の所定部に穿設された吸込管部、又は、ポンプのケーシング部に気体供給口が設けられていてもよい。また、気体供給口に接続され、気体供給ポンプの気体吐出口に接続された気体供給配管、又は、ガス容器のガス吐出口に接続された気体供給配管が設けられていてもよい。
【００４３】
[発生した微細気泡の粒度分布]
【００４４】
図３は、微細気泡発生装置において発生した微細気泡の粒度分布を示す図である。
【００４５】
図に示すように、粒径10nm以上300 nm以下の範囲において多くの微細気泡が観察され、その数は1億個以上であった。また、微細気泡が多く発生するのは、粒径が50nm以上150 nm以下の範囲、さらには粒径が50nm以上110 nm以下の範囲、さらには粒径が100nm付近の範囲であった。このデータは、上述の実施形態の技術によって、粒径がナノメートルオーダーの気泡を効率的に発生させることが実現できることを示している。
【００４６】
[材料]
【００４７】
微細気泡発生器等の上述の部品の材料は、金属材料、各種プラスティック材料を用いることができる。例えば、鉄・クロム・ニッケルの合金、ステンレス鋼、SUS304、SUS316でも製作は可能である。また、テフロン(登録商標)、ポリカーボネート等の樹脂材料での製作も可能である。また、微細気泡発生器等に、テフロンコーティング、表面塗装、静電塗装、メッキ等を施してもよい。
【００４８】
[用途]
【００４９】
上述の技術の用途は多く考えられる。例えば、次のような分野で利用できる可能性がある。
【００５０】
食品・農業分野への応用としては、微細気泡によるノロウイルスの不活化、カキ体内におけるウイルスの不活化、微細気泡オゾンを用いた水耕栽培培養液の殺菌と浄化、微細気泡オゾンによる培養液および根の殺菌、ナノバブルの農業利用がある。医療分野への応用としては、微細気泡超音波造影剤などの臨床応用、造影超音波の肝疾患診断への適応、微細気泡超音波造影剤、臨床診断、微細気泡の破壊を用いた血管新生療法、超音波と微細気泡による血管新生の機序、微細気泡の超音波マニピュレーション、超音波中で微細気泡に働く音響放射圧、超音波による微細気泡の捕捉、微細気泡を用いた酵母菌の超音波捕捉、超音波と微細気泡を用いた遺伝子導入、超音波と微細気泡（造影剤）を併用したキャビテーション増強、超音波刺激と微細気泡併用による遺伝子導入、動物モデルへの応用、微細気泡によるペットの皮膚病治療・皮膚洗浄がある。環境分野への応用としては、微細気泡法を用いたハイブリッド型環境処理技術、励起した酸素微細気泡の液相への導入、微細気泡による油汚染土壌の浄化、汚染サイトにおける気泡連行法による浄化、水質の浄化、微細気泡による水中有機物および有害物質の分解、有機物などの化学物質の分解、オゾンによる有害物質の分解、微細気泡による貧酸素水塊の解消、運河における微細気泡発生、人工汽水湖への微細気泡の適用、航路における微細気泡の適用、湖沼や河川の水質浄化と溶存酸素濃度増加、油─水エマルションにおける油水分離技術、炭素繊維と微細気泡を用いた生物ろ過装置による染色工場排水の処理、微細気泡を利用した洗浄技術、微細気泡による環境配慮型洗浄技術、微細気泡による油汚れの除去、微細気泡状オゾンの注入により節水を実現した洗濯乾燥機  、船舶への利用、微細気泡による船体抵抗低減技術、  気泡力学による船舶水中雑音予測法の開発がある。装置開発としては、低電力な微細気泡発生装置、バブルジェット式エアリフトポンプ（バブルジェットは登録商標）、オリフィスを通じた微細気泡発生との複合、微細気泡を利用した家庭用洗浄装置がある。さらに、微細気泡を利用した半閉鎖性水域の環境改善、微細気泡を利用したガスハイドレート生成、微細気泡の圧壊を利用した水処理技術、酸素ナノバブルによる防腐剤無添加かまぼこなどへ応用できる可能性がある。
【００５１】
[まとめ]
【００５２】
本実施形態の旋回式微細気泡発生器は、円筒形のケーシングと、気液混合流体の旋回可能な空間を有する円筒形気液旋回室と、気液旋回室の内側面の接線方向に沿って気液混合流体を導入する流体導入口と、流体導入口を備えた気液導入円筒と、気液旋回室の流体導入口が配設された面と直交する第１壁面と、その壁面と対向する流体導入口の近くに位置する第２壁面と、円筒形気液旋回室の中心軸線に位置し、第２壁面を貫通し、第１壁面に近い位置にまで至る気液吐出口と、気液吐出口を備えた気液吐出円筒とを有する。
【００５３】
本実施形態によれば、円筒形気液旋回室の中心軸線に位置する第２壁面を貫通し、第１壁面に近い位置にまで至る気液吐出口を備えた気液吐出円筒を設けることにより、気液吐出円筒と円筒形のケーシングの間を円筒形のケーシングの内側面に沿うように流体導入口から導入された気液混合流体が旋回流を生じながら第１壁面に向かって流れるため、円筒形気液旋回室の内壁面に整流するための構造を設けずとも整流された旋回流を発生させることができる。
【００５４】
円筒形気液旋回室の中心軸線に位置する第２壁面を貫通し、第１壁面に近い位置にまで至る気液吐出口を備えた気液吐出円筒を設けることにより、気液吐出円筒と円筒形のケーシングの間を円筒形のケーシングの内側面に沿うように流体導入口から導入された混合流体が旋回流を生じながら第１壁面で反転し、その後、気液混合流体は気液吐出口を備えた気液吐出円筒の内部に旋回流を生じながら通過し、円筒形気液旋回室から吐出される。これにより、相反するベクトルの流れが隣接することを防ぐことが可能となり、第１壁面に向かって流れる導入口から導入された気液混合流体の流速が低下することを防ぐことができる。
【００５５】
円筒形気液旋回室の中心軸線に位置する第２壁面を貫通し、第１壁面に近い位置にまで至る気液吐出口を備えた気液吐出円筒を設けることにより、気液吐出円筒と円筒形のケーシングの間を円筒形のケーシングの内側面に沿うように流体導入口から導入された気液混合流体が旋回流を生じながら第１壁面で反転し、その後、気液混合流体は気液吐出口を備えた気液吐出円筒の内部に旋回流を生じながら通過し、円筒形気液旋回室から吐出される。これにより、相反するベクトルの流れが隣接することを防ぐことが可能となり、気液吐出口を備えた気液吐出円筒の内部に旋回流を生じながら通過する気液混合流体の流速が低下することを防ぐことができる。
【００５６】
上述のように、これまでの装置においては、旋回流を生じさせるために整流させる機構を設け、また、液体等が導入される導入口が配設された面と直交した導入口から離れた壁面に対し、旋回流を生じさせ、該壁面に衝突した後、反転し、吐出口のある壁面側に向かい、導入口から離れた壁面に向かって流れる旋回流の内側を逆向きに旋回流を生じながら、吐出口に向かって流れるため、相反するベクトルの流れが隣接するため、双方の流速に損失が生じていた。
【００５７】
また、上述の損失により、流体の旋回流の旋回流速が低下し、ポンプにより流体に圧力をかけ気液旋回室内に送り込み、旋回流を発生させるために、多くのエネルギーを必要としていた。
【００５８】
しかしながら、本実施形態によれば、円筒形気液旋回室の中心軸線に位置する第２壁面を貫通し、第１壁面に近い位置にまで至る気液吐出口を備えた気液吐出円筒を設けることにより、気液吐出円筒と円筒形のケーシングの間を円筒形のケーシングの内側面に沿うように流体導入口から導入された混合流体が旋回流を生じながら第１壁面で反転し、その後、気液混合流体は気液吐出口を備えた気液吐出円筒の内部に旋回流を生じながら通過し、微細気泡含有流体として円筒形気液旋回室から吐出される。これにより、相反するベクトルの流れが隣接することを防ぐことが可能となり、双方の流速の低下を防ぐことができ、小さなエネルギーで気泡の微細化を促進することができる。
【００５９】
また、本実施形態によれば、導入された流体の経路を隔離することによって、流体の旋回流の運動エネルギーの損失を低減することが可能になるため、発生する微細気泡を小さくすることができる微細気泡発生器が得られる。さらに、本実施形態によれば、導入された流体の経路を隔離することによって、流体の旋回流の運動エネルギーの損失を低減することが可能になるため、発生する微細気泡を小さくすることができる微細気泡発生器が得られる。
【００６０】
また、微細気泡含有流体貯留槽を設けることにより、例えば水槽内でなくとも微細な気泡を発生させることができる。
【００６１】
[権利解釈など]
【００６２】
以上、特定の実施形態を参照しながら、本発明について説明してきた。しかしながら、本発明の要旨を逸脱しない範囲で当業者が実施形態の修正又は代用を成し得ることは自明である。すなわち、例示という形態で本発明を開示してきたのであり、本明細書の記載内容を限定的に解釈するべきではない。本発明の要旨を判断するためには、冒頭に記載した特許請求の範囲の欄を参酌すべきである。
【００６３】
また、この発明の説明用の実施形態が上述の目的を達成することは明らかであるが、多くの変更や他の実施例を当業者が行うことができることも理解されるところである。特許請求の範囲、明細書、図面及び説明用の各実施形態のエレメント又はコンポーネントを他の１つまたは組み合わせとともに採用してもよい。特許請求の範囲は、かかる変更や他の実施形態をも範囲に含むことを意図されており、これらは、この発明の技術思想および技術的範囲に含まれる。
【産業上の利用可能性】
【００６４】
上述の技術は、流体中に粒径がナノメートルオーダーの微細気泡を効率よく発生させるのに、有益な技術であり、例えば、本発明の微細気泡発生器を備えた微細気泡発生装置により供給された微細気泡含有流体は水環境への酸素供給、医療、福祉、洗浄、化学工業、排水処理、生物活性、水産業、農業など広範な分野における微細気泡の有効利用の可能性を拡大するものである。
【符号の説明】
【００６５】
１  微細気泡発生器
２  ケーシング
３  気液旋回室
４  流体導入口
５  気液導入円筒
６  第１壁面
７  第２壁面
８  気液吐出口
９  気液吐出円筒
１０  気液混合流体
１１  外郭旋回流
１２  内郭旋回流
１３  負圧空洞部
２１  微細気泡発生装置
２２  ポンプ
２３  吸込口
２４  吸込配管
２５  吐出口
２６  吐出配管
２７  微細気泡含有流体
３１  気液噴出器
３２  気液導入口
３３  吐出配管
３４  旋回流
３５  負圧軸
３６  気液噴出口
４２  気液混合流体貯留槽
４３  ケーシング
４４  第３壁面
４５  貯留槽吐出口
４６  第４壁面
４７  排水口
【図１Ａ】
2011088079.tif 000003
【図１Ｂ】
2011088079.tif 000004
【図１Ｃ】
2011088079.tif 000005
【図２】
2011088079.tif 000006
【図３】
2011088079.tif 000007
【手続補正書】
【提出日】平成22年5月20日(2010.5.20)
【手続補正１】
【補正対象書類名】特許請求の範囲
【補正対象項目名】全文
【補正方法】変更
【補正の内容】
【特許請求の範囲】
【請求項１】
旋回室と、
前記旋回室に接続され、前記旋回室の内側面の接線方向に沿って気液混合流体を導入する流体導入口と、
気液混合流体を導入する方向と略垂直方向に気液混合流体を導く吐出筒と
を有し、
前記吐出筒は、前記旋回室の壁面を貫通し、前記旋回室の内部まで突き出ており、
前記流体導入口から導入された気液混合流体は、前記吐出筒の周りを周回した後に、前記吐出筒の一端から他端へと流れる微細気泡発生器。
【請求項２】
気液混合流体は、壁面で反転し、吐出筒の開放された一端から流入する請求項1記載の微細気泡発生器。
【請求項３】
前記壁面は、前記吐出筒が貫通する壁面に対向する前記旋回室の壁面である請求項2記載の微細気泡発生器。
【請求項４】
微細気泡が最も多く発生するのは、微細気泡の粒径が50nm以上150 nm以下の範囲である請求項3記載の微細気泡発生器。
【請求項５】
気液混合流体の旋回可能な空間を有する旋回室と、
前記旋回室の内側面の接線方向に沿って気液混合流体を導入する流体導入口と、
吐出筒と
を有し、
前記旋回室は、前記旋回室の流体導入口が配設された面と略直交する第１壁面と、前記第１壁面と対向する第２壁面とを備え、
前記吐出筒は、前記第２壁面を貫通し、前記旋回室の内部まで突き出ており、
前記流体導入口から導入された気液混合流体は、前記吐出筒の周りを周回した後に、前記第１壁面で反転し、前記吐出筒の開放された一端から流入する微細気泡発生器。
【請求項６】
請求項3記載の微細気泡発生器と、
前記微細気泡発生器を内包し、微細気泡含有流体を貯留する流体貯留槽と
を有し、
流体貯留槽から鉛直上向きに排出される微細気泡含有流体を得る微細気泡発生装置。
【請求項７】
気液混合流体の旋回可能な空間を有する円筒形の気液旋回室と、前記気液旋回室の内側面の接線方向に沿って気液混合流体を導入する気液導入口を具備する気液導入円筒と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器を内包し、前記微細気泡発生器から吐出される微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有する微細気泡発生装置。
【請求項８】
気液混合流体の旋回可能な空間を有する円筒形の気液旋回室と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る筒状の気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器から吐出される微細気泡含有流体の旋回流により形成される負圧軸に位置する気液噴出口と、
前記微細気泡発生器を内包し、前記気液噴出口から噴出された微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有し、
前記気液導入口から導入された気液混合流体は、前記気液吐出口の周りを周回した後に、前記第１壁面で反転し、前記気液吐出口の開放された一端から流入し、前記気液吐出口の一端から他端へと流れる微細気泡発生装置。
【手続補正２】
【補正対象書類名】明細書
【補正対象項目名】０００９
【補正方法】変更
【補正の内容】
【０００９】
本発明の第１の側面は、
旋回室と、
前記旋回室に接続され、前記旋回室の内側面の接線方向に沿って気液混合流体を導入する流体導入口と、
気液混合流体を導入する方向と略垂直方向に気液混合流体を導く吐出筒と
を有し、
前記吐出筒は、前記旋回室の壁面を貫通し、前記旋回室の内部まで突き出ており、
前記流体導入口から導入された気液混合流体は、前記吐出筒の周りを周回した後に、前記吐出筒の一端から他端へと流れる微細気泡発生器
にある。
【手続補正３】
【補正対象書類名】明細書
【補正対象項目名】００１０
【補正方法】変更
【補正の内容】
【００１０】
本構成によれば、導入された気液混合流体の経路を隔離することによって、気液混合流体の旋回流の運動エネルギーの損失を低減することが可能になるため、発生する微細気泡を小さくすることができる微細気泡発生器が得られる。
【手続補正４】
【補正対象書類名】明細書
【補正対象項目名】００１１
【補正方法】変更
【補正の内容】
【００１１】
本発明の第2の側面は、
気液混合流体は、壁面で反転し、吐出筒の開放された一端から流入する請求項1記載の微細気泡発生器
にある。
【手続補正５】
【補正対象書類名】明細書
【補正対象項目名】００１２
【補正方法】変更
【補正の内容】
【００１２】
本構成によれば、導入された気液混合流体の経路を隔離することによって、気液混合流体の旋回流の運動エネルギーの損失を低減することが可能になるため、発生する微細気泡を小さくすることができる微細気泡発生器が得られる。
【手続補正６】
【補正対象書類名】明細書
【補正対象項目名】００１３
【補正方法】変更
【補正の内容】
【００１３】
本発明の第3の側面は、
前記壁面は、前記吐出筒が貫通する壁面に対向する前記旋回室の壁面である請求項2記載の微細気泡発生器
にある。
【手続補正７】
【補正対象書類名】明細書
【補正対象項目名】００１４
【補正方法】変更
【補正の内容】
【００１４】
本構成によれば、導入された気液混合流体の経路を隔離することによって、気液混合流体の旋回流の運動エネルギーの損失を低減することが可能になるため、発生する微細気泡を小さくすることができる微細気泡発生器が得られる。
【手続補正８】
【補正対象書類名】明細書
【補正対象項目名】００１５
【補正方法】変更
【補正の内容】
【００１５】
本発明の第4の側面は、
微細気泡が最も多く発生するのは、微細気泡の粒径が50nm以上150 nm以下の範囲である請求項3記載の微細気泡発生器
にある。
【手続補正９】
【補正対象書類名】明細書
【補正対象項目名】００１６
【補正方法】変更
【補正の内容】
【００１６】
本発明の第5の側面は、
気液混合流体の旋回可能な空間を有する旋回室と、
前記旋回室の内側面の接線方向に沿って気液混合流体を導入する流体導入口と、
吐出筒と
を有し、
前記旋回室は、前記旋回室の流体導入口が配設された面と略直交する第１壁面と、前記第１壁面と対向する第２壁面とを備え、
前記吐出筒は、前記第２壁面を貫通し、前記旋回室の内部まで突き出ており、
前記流体導入口から導入された気液混合流体は、前記吐出筒の周りを周回した後に、前記第１壁面で反転し、前記吐出筒の開放された一端から流入する微細気泡発生器
にある。
【手続補正１０】
【補正対象書類名】明細書
【補正対象項目名】００１７
【補正方法】変更
【補正の内容】
【００１７】
本構成によれば、導入された気液混合流体の経路を隔離することによって、気液混合流体の旋回流の運動エネルギーの損失を低減することが可能になるため、発生する微細気泡を小さくすることができる微細気泡発生器が得られる。
【手続補正１１】
【補正対象書類名】明細書
【補正対象項目名】００１８
【補正方法】変更
【補正の内容】
【００１８】
本発明の第6の側面は、
請求項3記載の微細気泡発生器と、
前記微細気泡発生器を内包し、微細気泡含有流体を貯留する流体貯留槽と
を有し、
流体貯留槽から鉛直上向きに排出される微細気泡含有流体を得る微細気泡発生装置
にある。
【手続補正１２】
【補正対象書類名】明細書
【補正対象項目名】００１９
【補正方法】変更
【補正の内容】
【００１９】
本発明の第7の側面は、気液混合流体の旋回可能な空間を有する円筒形の気液旋回室と、前記気液旋回室の内側面の接線方向に沿って気液混合流体を導入する気液導入口を具備する気液導入円筒と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器を内包し、前記微細気泡発生器から吐出される微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有する微細気泡発生装置。
にある。
【手続補正１３】
【補正対象書類名】明細書
【補正対象項目名】００２０
【補正方法】変更
【補正の内容】
【００２０】
本発明の第8の側面は、
気液混合流体の旋回可能な空間を有する円筒形の気液旋回室と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る筒状の気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器から吐出される微細気泡含有流体の旋回流により形成される負圧軸に位置する気液噴出口と、
前記微細気泡発生器を内包し、前記気液噴出口から噴出された微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有し、
前記気液導入口から導入された気液混合流体は、前記気液吐出口の周りを周回した後に、前記第１壁面で反転し、前記気液吐出口の開放された一端から流入し、前記気液吐出口の一端から他端へと流れる微細気泡発生装置
にある。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
旋回室と、前記旋回室に接続され、前記旋回室の内側面の接線方向に沿って気液混合流体を導入する流体導入口と、気液混合流体を導入する方向と略垂直方向に気液混合流体を導く吐出筒とを有し、前記吐出筒は、前記旋回室の壁面を貫通し、前記旋回室の内部まで突き出ており、前記流体導入口から導入された気液混合流体は、前記吐出筒の周りを周回した後に、前記吐出筒の一端から他端へと流れ、気液混合流体は、壁面で反転し、吐出筒の開放された一端から流入し、前記壁面は、前記吐出筒が貫通する壁面に対向する前記旋回室の壁面である微細気泡発生器と、
前記微細気泡発生器を内包し、微細気泡含有流体を貯留する流体貯留槽と
を備え、
流体貯留槽から鉛直上向きに排出される微細気泡含有流体を得る微細気泡発生装置。
【請求項２】
気液混合流体の旋回可能な空間を有する円筒形の気液旋回室と、前記気液旋回室の内側面の接線方向に沿って気液混合流体を導入する気液導入口を具備する気液導入円筒と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器を内包し、前記微細気泡発生器から吐出される微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有する微細気泡発生装置。
【請求項３】
気液混合流体の旋回可能な空間を有する円筒形の気液旋回室と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る筒状の気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器から吐出される微細気泡含有流体の旋回流により形成される負圧軸に位置する気液噴出口と、
前記微細気泡発生器を内包し、前記気液噴出口から噴出された微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有し、
前記気液導入口から導入された気液混合流体は、前記気液吐出口の周りを周回した後に、前記第１壁面で反転し、前記気液吐出口の開放された一端から流入し、前記気液吐出口の一端から他端へと流れる微細気泡発生装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明の第1の側面は、
旋回室と、前記旋回室に接続され、前記旋回室の内側面の接線方向に沿って気液混合流体を導入する流体導入口と、気液混合流体を導入する方向と略垂直方向に気液混合流体を導く吐出筒とを有し、前記吐出筒は、前記旋回室の壁面を貫通し、前記旋回室の内部まで突き出ており、前記流体導入口から導入された気液混合流体は、前記吐出筒の周りを周回した後に、前記吐出筒の一端から他端へと流れ、気液混合流体は、壁面で反転し、吐出筒の開放された一端から流入し、前記壁面は、前記吐出筒が貫通する壁面に対向する前記旋回室の壁面である微細気泡発生器と、
前記微細気泡発生器を内包し、微細気泡含有流体を貯留する流体貯留槽と
を備え、
流体貯留槽から鉛直上向きに排出される微細気泡含有流体を得る微細気泡発生装置
にある。
【手続補正１２】
【補正対象書類名】明細書
【補正対象項目名】００１９
【補正方法】変更
【補正の内容】
【００１９】
本発明の第2の側面は、気液混合流体の旋回可能な空間を有する円筒形の気液旋回室と、前記気液旋回室の内側面の接線方向に沿って気液混合流体を導入する気液導入口を具備する気液導入円筒と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器を内包し、前記微細気泡発生器から吐出される微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有する微細気泡発生装置。
にある。
【手続補正１３】
【補正対象書類名】明細書
【補正対象項目名】００２０
【補正方法】変更
【補正の内容】
【００２０】
本発明の第3の側面は、
気液混合流体の旋回可能な空間を有する円筒形の気液旋回室と、前記気液旋回室の内側面の接線方向に沿って気液混合流体を導入する気液導入口を具備する気液導入円筒と、前記気液導入口が配設された面と直交する第１壁面と、前記第１壁面と対向し前記気液導入口の近くに位置する第２壁面と、前記円筒形気液旋回室の中心軸線に位置し、前記第２壁面を貫通し、前記第１壁面に近い位置にまで至る筒状の気液吐出口とを備える微細気泡発生器と、
前記微細気泡発生器に流体を供給するポンプと、
前記ポンプの吸込口に接続された吸込配管と、
前記ポンプの吐出口に接続され、前記気液導入口に接続された吐出配管と、
前記微細気泡発生器から吐出される微細気泡含有流体の旋回流により形成される負圧軸に位置する気液噴出口と、
前記微細気泡発生器を内包し、前記気液噴出口から噴出された微細気泡含有流体を貯留する気液混合流体貯留槽を形成する円筒形のケーシングと、
前記気液混合流体貯留槽の上部を形成する半球体状の第３壁面と、
前記気液混合流体貯留槽の中心軸線の上部に位置し、前記第３壁面を貫通する貯留槽吐出口と、
前記気液混合流体貯留槽の下部に形成する半球体状の第４壁面と、
前記気液混合流体貯留槽の中心軸線の下部に位置し、前記第４壁面を貫通する排水口と、
前記貯留槽吐出口に接続された貯留槽吐出管と、
前記排水口に接続された排水管と
を有し、
前記気液導入口から導入された気液混合流体は、前記気液吐出口の周りを周回した後に、前記第１壁面で反転し、前記気液吐出口の開放された一端から流入し、前記気液吐出口の一端から他端へと流れる微細気泡発生装置
にある。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１７】
【補正対象書類名】明細書
【補正対象項目名】０００１
【補正方法】変更
【補正の内容】
【０００１】
本発明は、微細気泡発生装置に関する。